(57)【要約】【課題】  強度を確保してケース本体の薄型化および小型化を図ることができると共に、装飾的なバリエーションを豊富にする。【解決手段】  ケース本体１の第１、第２ケース２、３の両側部に補強部材８を着脱可能に設けたので、この補強部材８によって第１、第２ケース２、３を補強することができる。このため、第１ケース２内に設けられた表示部５が衝撃などによって破損するのを防ぐことができる。この場合、補強部材８がケース本体１の第１、第２ケース２、３の各内部に設けられていないため、補強部材８によって第１、第２ケース２、３の厚みが厚くならず、第１、第２ケース２、３の薄型化および小型化が図れる。特に、補強部材８は、色や模様などの装飾の異なる複数の種類のうち、いずれかの種類が第１、第２ケース２、３の各側部に取り付けられるので、この補強部材８によって第１、第２ケース２、３にアクセントとしての装飾効果を付与することができ、装飾的なバリエーションが豊富になる。【選択図】        図１
2005183425.tif 000002
【特許請求の範囲】
【請求項１】
ケース本体と、このケース本体内に設けられた平面型の表示部と、前記ケース本体の外周部における少なくとも両側部に着脱可能に取り付けられて前記ケース本体を補強する補強部材とを備え、
前記補強部材は、色や模様などの装飾の異なる複数の種類のうち、いずれかの種類が前記ケース本体に取り付けられていることを特徴とする電子機器。
【請求項２】
前記ケース本体の前記側部には係止部が設けられ、前記補強部材には前記係止部に係脱可能に係合する係合部が設けられていることを特徴とする請求項１に記載の電子機器。
【請求項３】
前記補強部材は、前記ケース本体の前記側部に着脱可能に装着する内側補強体と、この内側補強体の外側に着脱可能に装着する外側補強体とからなり、この外側補強体が色や模様などの装飾の異なる複数の種類のうちのいずれかの種類であることを特徴とする請求項１に記載の電子機器。
【請求項４】
前記ケース本体の前記側部における一端部側には第１係止部が設けられ、その他端部側には第２係止部が設けられており、前記内側補強体と前記外側補強体との一方には、前記第１係止部に係脱可能に係合する第１係合部が設けられ、前記内側補強体と前記外側補強体との他方には、前記第２係止部に係脱可能に係合する第２係合部が設けられていることを特徴とする請求項３に記載の電子機器。
【請求項５】
前記内側補強体は、前記ケース本体にビスによって取り付けられていることを特徴とする請求項３に記載の電子機器。
【請求項６】
前記ケース本体内における前記表示部の裏面側に配置されて前記表示部を保護する保護板を備え、この保護板の縁部にほぼ直角に折り曲げられた折曲部を設け、この折曲部を前記補強部材の内部に挿入させたことを特徴とする請求項１〜５のいずれかに記載の電子機器。
【請求項７】
前記ケース本体は、第１ケースと第２ケースとがヒンジ部によって回動可能に連結された構成で、前記第１ケースには前記表示部が設けられていると共に、この第１ケースの側部には前記補強部材が設けられ、前記第２ケースにはキーボードが設けられていると共に、この第２ケースの側部にも前記補強部材が設けられていることを特徴とする請求項１〜６のいずれかに記載の電子機器。
【請求項８】
前記第２ケースの前記側部に装着される前記補強部材は、重量の重い金属材料で形成されていることを特徴とする請求項７に記載の電子機器。
【請求項９】
前記第２ケースの前記側部に装着される前記補強部材には、電池パックなどの付加機能部が設けられていることを特徴とする請求項７に記載の電子機器。
【請求項１０】
前記補強部材は、前記ケース本体の前記両側部とこれに隣接する先端側の側部とに連続して取り付けられていることを特徴とする請求項１〜９のいずれかに記載の電子機器。
【発明の詳細な説明】
【技術分野】
【０００１】
この発明は、電子辞書、携帯電話機、電子式計算機、ＰＤＡ（パーソナル・デジタル・アシスタント）などの電子機器に関する。
【背景技術】
【０００２】
例えば、携帯電話機などの電子機器においては、ケース本体内に組み込まれる表示パネルが落下などの衝撃によって破損しないように、表示パネルをパネルホルダに装着して保護すると共に、このパネルホルダに補強部材を設けてパネルホルダの強度を確保し、この状態でケース本体内に組み込んだ構成になっている。
【０００３】
このような電子機器では、機器の小型化および軽量化が要望され、これに応えるために、補強部材を最小限必要な個所、例えば表示パネルの長手方向に沿う端辺、または表示パネルの各角部に対応する個所などの所定個所のみに設けることにより、補強部材の容積および重量の軽減化を図っている。
【特許文献１】特開２００３−３１６２７５号公報
【発明の開示】
【発明が解決しようとする課題】
【０００４】
しかしながら、従来の電子機器では、表示パネルを保持するパネルホルダを補強するための補強部材がケース本体内に配置されるため、補強部材によってケース本体の厚みが厚くなり、ケース本体の薄型化および小型化を図ることができないという問題があるほか、色や模様などの装飾を変更する場合には、ケース本体を交換しなければならないため、装飾的なバリエーションが乏しいという問題もある。
【０００５】
この発明が解決しようとする課題は、強度を確保してケース本体の薄型化および小型化を図ることができると共に、装飾的なバリエーションが豊富な電子機器を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１５に示すように、ケース本体（１）と、このケース本体に設けられた平面型の表示部（５）と、前記ケース本体の外周部における少なくとも両側部に着脱可能に取り付けられて前記ケース本体を補強する補強部材（８、２０、３５、３６、４０）とを備え、この補強部材は、色や模様などの装飾の異なる複数の種類のうち、いずれかの種類が前記ケース本体に取り付けられていることを特徴とする電子機器である。
【０００７】
請求項２に記載の発明は、図１〜図１３に示すように、前記ケース本体（１）の前記側部に係止部（第１係止部１１および第２係止部１２）が設けられ、前記補強部材（８、２０、３５、３６、４０）には前記係止部に係脱可能に係合する係合部（第１係合部９および第２係合部１０）が設けられていることを特徴とする請求項１に記載の電子機器である。
【０００８】
請求項３に記載の発明は、図７〜図１０に示すように、前記補強部材（２０）が、前記ケース本体（１）の前記側部に着脱可能に装着する内側補強体（２１）と、この内側補強体の外側に着脱可能に装着する外側補強体（２２）とからなり、この外側補強体が色や模様などの装飾の異なる複数の種類のうちのいずれかの種類であることを特徴とする請求項１に記載の電子機器である。
【０００９】
請求項４に記載の発明は、図７〜図９に示すように、前記ケース本体（１）の前記側部における一端部側に第１係止部（１１）が設けられ、その他端部側に第２係止部（１２）が設けられており、前記内側補強体（２１）と前記外側補強体（２２）との一方には、前記第１係止部に係脱可能に係合する第１係合部（９）が設けられ、前記内側補強体と前記外側補強体との他方には、前記第２係止部に係脱可能に係合する第２係合部（１０）が設けられていることを特徴とする請求項３に記載の電子機器である。
【００１０】
請求項５に記載の発明は、図１０に示すように、前記内側補強体（２１）が、前記ケース本体（１）にビス（３０）によって取り付けられていることを特徴とする請求項３に記載の電子機器である。
【００１１】
請求項６に記載の発明は、図７〜図１０に示すように、前記ケース本体（１）内における前記表示部（５）の裏面側に配置されて前記表示部を保護する保護板（２３）を備え、この保護板の縁部にほぼ直角に折り曲げられた折曲部（２６）を設け、この折曲部を前記補強部材（８、２０、３５、３６、４０）の内部に挿入させたことを特徴とする請求項１〜５のいずれかに記載の電子機器である。
【００１２】
請求項７に記載の発明は、図１〜図１５に示すように、前記ケース本体（１）が、第１ケース（２）と第２ケース（３）とをヒンジ部（４）によって回動可能に連結した構成で、前記第１ケースには前記表示部（５）が設けられていると共に、この第１ケースの側部には前記補強部材（８、２０、４０）が設けられ、前記第２ケースにはキーボード（７）が設けられていると共に、この第２ケースの側部にも前記補強部材（８、２０、３５、３６、４０）が設けられていることを特徴とする請求項１〜６のいずれかに記載の電子機器である。
【００１３】
請求項８に記載の発明は、図１１および図１２に示すように、前記第２ケース（３）の前記側部に装着される前記補強部材（３５）が、重量の重い金属材料で形成されていることを特徴とする請求項７に記載の電子機器である。
【００１４】
請求項９に記載の発明は、図１３に示すように、前記第２ケース（３）の前記側部に装着される前記補強部材（３６）に、電池パックなどの付加機能部（３７）が設けられていることを特徴とする請求項７に記載の電子機器である。
【００１５】
請求項１０に記載の発明は、図１４および図１５に示すように、前記補強部材（４０）が、前記ケース本体（１）の前記両側部とこれに隣接する先端側の側部とに連続して取り付けられていることを特徴とする請求項１〜９のいずれかに記載の電子機器である。
【発明の効果】
【００１６】
請求項１に記載の発明によれば、平面型の表示部が内部に設けられたケース本体の外周部における少なくとも両側部に補強部材を着脱可能に取り付けたので、この補強部材によってケース本体を補強することができ、これによりケース本体内の表示部が落下による衝撃などによって破損するのを防ぐことができる。また、補強部材がケース本体の側部に設けられているので、補強部材をケース本体内に設けた従来の場合に比べて、ケース本体の薄型化および小型化を図ることができる。
【００１７】
この場合、特に補強部材は、色や模様などの装飾の異なる複数の種類からなり、そのいずれかの種類がケース本体に取り付けられていることにより、この装飾性を有する補強部材によってケース本体にアクセントとしての装飾効果を付与することができると共に、色や模様などの装飾が施された補強部材をユーザーの好みに応じて自由に交換することができ、これにより装飾的なバリエーションが豊富になり、装飾性の高いものを得ることができる。
【００１８】
請求項２に記載の発明によれば、ケース本体の側部に係止部が設けられ、補強部材にはケース本体の係止部に係脱可能に係合する係合部が設けられていることにより、補強部材をケース本体に取り付けるときに、補強部材の係合部をケース本体の係止部に係脱可能に係合させるだけで、簡単に且つ容易に補強部材をケース本体の両側部に取り付けることができ、このためケース本体に対する補強部材の着脱作業性が良く、ユーザーが補強部材を容易に交換することができる。
【００１９】
請求項３に記載の発明によれば、補強部材が、ケース本体の側部に着脱可能に装着する内側補強体と、この内側補強体の外側に着脱可能に装着する外側補強体とからなる２重構造であるから、補強部材全体の強度を高めることができると共に、この２重構造の補強部材によってケース本体の強度をも高めることができる。また、外側補強体が色や模様などの装飾の異なる複数の種類のうちのいずれかの種類であることにより、補強部材全部を交換する必要がなく、外側補強体のみを交換するだけで、色や模様などの装飾を容易に変更することができ、これにより低価格化をも図ることができる。この場合、内側補強体が金属製であれば、補強部材全体の強度を確実に高めることができ、外側補強体が合成樹脂製であれば、容易に装飾を施すことができる。
【００２０】
請求項４に記載の発明によれば、ケース本体の側部における一端部側に第１係止部を設け、その他端部側に第２係止部を設けると共に、内側補強体と外側補強体との一方に、第１係止部に係脱可能に係合する第１係合部を設け、その他方に、第２係止部に係脱可能に係合する第２係合部を設けていることにより、ケース本体側の第１、第２係止部に内側補強体と外側補強体との第１、第２係合部を係脱可能に係合させることができるので、請求項２に記載の発明と同様、簡単に且つ容易に補強部材をケース本体に取り付けることができるほか、特に補強部材が内側補強体と外側補強体との２重構造であっても、内側補強体と外側補強体とをそれぞれケース本体の側部に係止させることができ、これにより確実に補強部材をケース本体の側部に取り付けることができる。
【００２１】
請求項５に記載の発明によれば、内側補強体がケース本体にビスによって取り付けられていることにより、内側補強体をケース本体に確実に且つ強固に固定することができる。このため、ケース本体の強度を更に向上させることができるほか、内側補強体をケース本体に取り付けた状態で、外側補強体のみを簡単に且つ容易に取り外すことができるので、外側補強体の交換が容易にできる。
【００２２】
請求項６に記載の発明によれば、ケース本体内における表示部の裏面側に配置されて表示部を保護する保護板を備え、この保護板の縁部にほぼ直角に折り曲げられた折曲部を設け、この折曲部を補強部材の内部に挿入させたことにより、金属製の保護板によって表示部を保護することができるほか、特に保護板の縁部に設けられた折曲部を補強部材の内部に挿入させていることにより、保護板の折曲部によってケース本体の強度を、より一層、高めることができ、これによっても表示部を確実に保護することができる。この場合、保護板が金属製の薄板で形成されていれば、ケース本体が厚くならず、且つケース本体の強度を確実に高めることができる。
【００２３】
請求項７に記載の発明によれば、ケース本体が、第１ケースと第２ケースとをヒンジ部によって回動可能に連結した構成で、この第１ケースに表示部を設けると共に、この第１ケースの側部に補強部材を設け、また第２ケースにキーボードを設けると共に、この第２ケースの側部にも補強部材を設けたことにより、ケース本体が第１、第２ケースをヒンジ部で連結した構成であっても、補強部材によって第１、第２ケースの強度をそれぞれ確保することができ、これにより表示部およびキーボードが落下による衝撃などによって破損するのを防ぐことができると共に、補強部材を交換することにより、色や模様などの装飾を容易に変更することができる。
【００２４】
請求項８に記載の発明によれば、第２ケースの側部に装着される補強部材が重量の重い金属材料で形成されていることにより、補強部材の重量を重くすることができ、これにより第１、第２ケースを開いた状態で第２ケースを机などの載置面上に載置して使用するときに、第２ケースの補強部材の重量によってケース本体を載置面上に安定させて配置することができ、これにより使い勝手の良いものを得ることができる。
【００２５】
請求項９に記載の発明によれば、第２ケースの側部に装着される補強部材に、電池パックなどの付加機能部が設けられていることにより、電池の寿命の向上が図れるなど、他の機能を付加することができ、これにより付加価値を高めることができるほか、特に電池パックなどの付加機能部によって補強部材の重量を重くすることができるので、請求項８に記載の発明と同様、机などの載置面上に載置して使用するときに、ケース本体を載置面上に安定させて配置することができる。
【００２６】
請求項１０に記載の発明によれば、補強部材が、ケース本体の両側部とこれに隣接する先端側の側部とに連続して取り付けられていることにより、ケース本体の外周部にその一側部を除いて補強部材が装着されるので、この補強部材によってケース本体を更に強固に補強することができ、これにより落下などによる衝撃によって表示部が破損するのを確実に防ぐことができる。この場合、特にケース本体が第１、第２ケースをヒンジ部によって回動可能に連結した構造であれば、第１、第２ケースの各ヒンジ部側の側部を除いて第１、第２ケースの外周部を補強部材で囲んで補強することができるので、耐衝撃性の高いものを得ることができる。
【発明を実施するための最良の形態】
【００２７】
（実施形態１）
以下、図１〜図６を参照して、この発明の電子機器を電子辞書に適用した実施形態１について説明する。
図１はこの発明の電子辞書を開いた状態の斜視図、図２は図１の側面図、図３は図２の電子辞書を閉じた状態の側面図である
この電子辞書は、図１〜図３に示すように、折り畳み可能なケース本体１を備えている。このケース本体１は、第１ケース２と第２ケース３とをヒンジ部４によって回動可能に連結した構造になっている。
【００２８】
すなわち、このケース本体１は、ヒンジ部４を中心に第１、第２ケース２、３を互いに離れる方向に回動させると、図１および図２に示すように、第１、第２ケース２、３が互いに開き、またヒンジ部４を中心に第１、第２ケース２、３を互いに接近する方向に回動させると、図３に示すように、第１、第２ケース２、３が互いに重なり合って閉じるように構成されている。
【００２９】
これら第１、第２ケース２、３のうち、第１ケース２には、図１に示すように、表示部５および銘板６が第２ケース３に対向して設けられている。表示部５は、液晶表示素子やＥＬ表示素子（エレクトロルミネッセンス表示素子）などの平面型の表示素子からなり、第１ケース２の開口部２ａに対応して第１ケース２内に設けられ、この状態で後述するキーボード７で入力されたデータ、あるいは予め記憶されたデータなどの情報を電気光学的に表示するように構成されている。銘板６は、機種ごとにそれぞれ製作され、各機種に応じた機能などの内容がそれぞれ印刷され、図１に示すように、機種ごとに表示部５の下側に位置する第１ケース２の対向面に貼り付けられている。
【００３０】
また、第２ケース３には、キーボード７が第１ケース２に対向して設けられている。このキーボード７は、図１に示すように、文字キー、カーソルキー、シフトキー、機能キーなどの各種のキーが多数配列され、これら各キーの上面にそれぞれキー表示が設けられていると共に、各キーの近傍にそのキーの機能を表示する機能表示（いずれも図示せず）が設けられた構成になっている。この場合、キーボード７と表示部５とは、フレキシブルな接続用の配線基板（図示せず）によってヒンジ部４を介して電気的に接続されている。
【００３１】
一方、第１、第２ケース２、３の左右方向の両側部には、図１および図４に示すように、それぞれ補強部材８が着脱可能に取り付けられている。これら補強部材８は、第１、第２ケース２、３を補強する機能を有するほか、ケース本体１のアクセント的な装飾効果を付与する機能をも有するものであり、剛性の高い合成樹脂や金属からなり、図１に示すように、全て同じ形状に形成されている。すなわち、これら補強部材８は、図４〜図６に示すように、断面がコ字状に形成され、その内部に第１、第２ケース２、３の各側部が挿入して嵌合することにより、第１、第２ケース２、３に取り付けられるように構成されている。
【００３２】
この場合、補強部材８は、全体の厚みが第１、第２ケース２、３の各側部の厚みよりも少し厚く形成されており、第１、第２ケース２、３は、各側部の厚みが他の部分よりも少し薄く形成されている。これにより、補強部材８は、その内部に第１、第２ケース２、３の各側部が挿入して嵌合すると、第１、第２ケース２、３の外表面から少し突出した状態で第１、第２ケース２、３に取り付けられるように構成されている。また、これら補強部材８の内部における先端部（図４では上端部）には、図５に示すように、第１係合部９が設けられており、この補強部材８の内部における基端部（図４では下端部）には、図６に示すように、第２係合部１０が設けられている。
【００３３】
すなわち、第１係合部９は、図５に示すように、ほぼ平板状の突起であり、補強部材８の内部における開放側に位置して設けられ、第１ケース２の両側部における先端部（同図では上端部）に設けられた第１係止部１１に係脱可能に係合するように構成されている。この場合、第１係止部１１は、図５に示すように、第１ケース２の側部における先端部に形成された係止溝であり、この係止溝に補強部材８の第１係合部９が上端部側から挿入することにより、第１係合部９を係脱可能に係止するように構成されている。
【００３４】
また、第２係合部１０は、補強部材８の内面に設けられたほぼ山形状の突起であり、図６に示すように、第１ケース２の両側部における基端部（同図では下端部）の一面、つまり第２ケース３に対向する対向面側に設けられた第２係止部１２に係脱可能に係合するように構成されている。この場合、第２係止部１２は、図６に示すように、第１ケース２の側における対向面に形成された凹部であり、補強部材８に第１、第２ケース２、３の側部が嵌め込まれたときに、補強部材８の第２係合部１０が凹部に押し込まれることにより、第２係合部１０を係脱可能に係止するように構成されている。
【００３５】
ところで、これら補強部材８には、色や模様などの装飾が施されている。すなわち、これら補強部材８は、色や模様などの装飾に応じて異なる種類ごとに製作され、これら複数の種類のうち、いずれかの種類が第１、第２ケース２、３の各側部に着脱可能に装着されるように構成されている。また、これら補強部材８は、図２に示すように、第２係合部１０側である基端部側の厚みが第１係合部９側である先端側の厚みよりも、厚く形成されていると共に、その外側面、つまり第１、第２ケース２、３の互いに対面しない外側面がその外側に向けて緩やかに突出した湾曲面に形成されている。
【００３６】
なお、ケース本体１の第１、第２ケース２、３のうち、キーボード７が設けられた第２ケース３内には、書き込み読み出しが可能なフラッシュメモリなどの記憶素子を有する記憶部（図示せず）が設けられている。この場合、記憶部に書き込まれるデータは、具体的的には、国語辞書または英和辞書などの各機種に対応する各キーの辞書機能を実現するための各辞書データと、キー入力をを検知して、該当するキーに対応する辞書を動作させたり、該当するキーに対応する検索・表示機能を実現するためのプログラムデータなどで構成されている。
【００３７】
また、この第２ケース３の裏面には、コネクタ（図示せず）が記憶部と電気的に接続されて設けられている。このコネクタは、パーソナルコンピュータなどの外部情報処理機器と電気的に接続され、この状態で国語辞書または英和辞書などの各機種のうち、いずれかの機種に対応するデータを外部情報処理機器から記憶部に書き込むための外部接続端子である。
【００３８】
次に、第１、第２ケース２、３の各側部のうち、第１ケース２の両側の側部に補強部材８を取り付ける場合について説明する。
このときには、まず、第１ケース２の側部における先端部に補強部材８の先端部を挿入させて補強部材８の第１係合部９を第１ケース２の側部における先端部の第１係止部１１に係止させる。この状態で、補強部材８を第１ケース２の側部に向けて押し付けると、補強部材８内に第１ケース２の側部が押し込まれて、補強部材８の基端部に設けられた第２係合部１０が第１ケース２の側部における基端部に設けられた第２係止部１２に係合し、これにより補強部材８が第１ケース２の側部に嵌合して装着される。なお、第２ケース３の側部に補強部材８を取り付ける場合にも、上記と同様に装着することができる。
【００３９】
このように、この電子辞書によれば、ケース本体１の第１、第２ケース２、３の外周部における両側部に剛性の高い材料からなる補強部材８をそれぞれ着脱可能に設けているので、この補強部材８によって第１、第２ケース２、３を補強することができる。このため、第１ケース２内に表示部５を設けても、この表示部５が落下による衝撃などによって破損しないように、確実に表示部５を保護することができる。この場合、補強部材８がケース本体１の第１、第２ケース２、３の各内部に設けられていないため、補強部材８によって第１、第２ケース２、３の厚みが厚くならず、補強部材８を第１、第２ケース２、３内に設ける従来の場合に比べて、第１、第２ケース２、３の薄型化および小型化を図ることができる。
【００４０】
特に、補強部材８は、色や模様などの装飾の異なる複数の種類のうち、いずれかの種類がケース本体１の第１、第２ケース２、３の各側部に取り付けられているので、この装飾性を有する補強部材８によって第１、第２ケース２、３にアクセントとしての装飾効果を付与することができると共に、色や模様などの装飾を有する補強部材８、例えば赤色、青色などの色の異なる補強部材８をユーザーの好みに応じて自由に交換することができ、これにより装飾的なバリエーションが豊富になり、装飾性の高いものを得ることができる。
【００４１】
また、この電子辞書では、補強部材８に第１、第２係合部９、１０が設けられ、第１、第２ケース２、３の側部に第１、第２係止部１１、１２が設けられているので、補強部材８の第１係合部９を第１、第２ケース２、３の側部に設けられた第１係止部１１に係合させ、この状態で補強部材８を第１、第２ケース２、３の側部に押し付けて嵌め込むことにより、補強部材８の第２係合部１０を第１、第２ケース２、３の側部に設けられた第２係止部１２に係合させることができる。このため、簡単に且つ容易に補強部材８を第１、第２ケース２、３に取り付けることができ、これにより第１、第２ケース２、３に対する補強部材８の着脱作業性が良く、ユーザーが簡単に補強部材８を交換することができる。
【００４２】
また、この補強部材８は、第２係合部１０側である基端部側の厚みが第１係合部９側である先端側の厚みよりも、外面側に向けて緩やかに湾曲して厚く形成されているので、図２に示すように、ケース本体１の第１、第２ケース２、３を開いて第２ケース３を机などの載置面Ｓ上に配置して使用するときに、第２ケース３が載置面Ｓ上に手前下がり（図２では左下がり）に傾斜させることができる。このため、第１、第２ケース２、３を開いた状態でも、第１、第２ケース２、３を載置面Ｓ上に安定させることができると共に、キーボード７も手前下がりに傾斜するので、キー操作性が良く、これにより良好に使用することができる。
【００４３】
（実施形態２）
次に、図７〜図９を参照して、この発明の電子機器を電子辞書に適用した実施形態２について説明する。なお、図１〜図６に示された実施形態１と同一部分には同一符号を付して説明する。
この電子辞書は、補強部材２０が、ケース本体１の第１、第２ケース２、３における各側部に着脱可能に装着する内側補強体２１と、この内側補強体２１の外側に着脱可能に装着する合成樹脂製の外側補強体２２とで構成されていると共に、第１ケース２の内部における表示部５の裏面側にその表示部５を保護する金属製の保護板２３が配置された構成で、これ以外は実施形態１とほぼ同じ構成になっている。
【００４４】
この場合、第１ケース２は、図７に示すように、フロントケース２４とリアケース２５とからなり、リアケース２５にヒンジ部４が設けられていると共に、図８および図９に示すように、フロントケース２４の外周部がリアケース２５に向けて折り曲げられ、この折り曲げれた外周部が第１ケース２の側部を形成するように構成されている。また、この第１ケース２は、フロントケース２４の左右方向の両側部が少し低く形成され、これにより第１ケース２の両側部の厚みが全体の厚みよりも少し薄く形成されている。
【００４５】
また、この第１ケース２の左右方向の両側部における先端部（図７では下端部）には、係止溝からなる第１係止部１１が設けられており、この第１ケース２の両端部における基端部（図７では上端部）の一面、つまりフロントケース２４の表面側には、凹部からなる第２係止部１２が設けられている。なお、第２ケース３も、第１ケース２と同様、フロントケースとリアケースとからなり、その両側部の厚みが全体の厚みよりも少し薄く形成されていると共に、第１ケース２と同様、両端部にそれぞれ第１、第２係止部１１、１２が設けられた構成になっている。
【００４６】
ところで、補強部材２０の内側補強体２１は、剛性の高い金属板からなり、断面がコ字状に形成され、第１ケース２の各側部が挿入して嵌合するように構成されている。この場合、内側補強体２１は、その先端部（図７では下端部）が第１ケース２の側部に設けられた第１係止部１１を覆うことなく開放され、反対側の基端部における内面にほぼ山形状の突起からなる第２係合部１０が第１ケース２の第２係止部１２に対応して設けられている。これにより、内側補強体２１は、その内部に第１ケース２の側部が挿入して嵌合したときに、第２係合部１０が第１ケース２の側部に設けられた第２係止部１２に係脱可能に係合することにより、第１ケース２の側部に取り付けられるように構成されている。なお、この内側補強体２１は、第２ケース３の各側部にも同様に取り付けられる。
【００４７】
また、外側補強体２２は、剛性の高い合成樹脂からなり、断面がコ字状に形成され、内側補強体２１の外側に嵌合して装着されるように構成されている。この場合、外側補強体２２は、その先端部（図７では下端部）に平板状の第１係合部９が設けられ、反対側の基端部側が内側補強板２１の基端部に嵌着するように構成されている。これにより、外側補強体２２は、その先端部側の第１係合部９を第１ケース２の側部に設けられた第１係止部１１に係脱可能に係合させ、この状態で基端部側の内部に内側補強体２１を相対的に挿入させて嵌着させることにより、内側補強体２１の外側に装着されて第１ケース２の側部に取り付けられるように構成されている。なお、この外側補強体２２は、第２ケース３にも同様に取り付けられる。
【００４８】
また、この外側補強体２２は、実施形態１と同様、色や模様などの装飾が施されている。すなわち、この外側補強体２２は、色や模様などの装飾に応じて異なる種類ごとに製作され、これら複数の種類のうち、いずれかの種類が第１、第２ケース２、３の各側部に着脱可能に装着されるように構成されている。また、内側補強体２１および外側補強体２２は、第２係止部１２側に位置する基端部側の厚みが先端側の厚みよりも、厚く形成されていると共に、その外側面、つまり第１、第２ケース２、３の互いに対面しない外側面がその外側に向けて緩やかに突出した湾曲面に形成されている。
【００４９】
一方、第１ケース２内の保護板２３は、図８および図９に示すように、剛性の高い金属製の薄い板からなり、第１ケース２内における表示部５の裏面側に配置され、その縁部が一段低く形成されていると共に、その端部がほぼ直角に折り曲げられ、これにより縁部の端部に折曲部２６が形成され、この折曲部２６が第１ケース２の外周部と共に補強部材２０の内側補強体２１の内部に挿入するように構成されている。なお、表示部５には、図９に示すように、フイルム状の基板２７が電気的に接続されており、この基板２７には表示部５を駆動するためのＬＳＩなどの駆動素子２８が設けられている。また、基板２７の下側には、駆動素子２８を保護するための保護部材２９が配置されている。
【００５０】
次に、第１、第２ケース２、３の両側の各側部のうち、第１ケース２の両側部に補強部材２０を取り付ける場合について説明する。
この場合には、２通りの取付方法があり、一つの方法は、後述する前者のように、補強部材２０の内側補強体２１に外側補強体２２を装着した状態で、実施形態１と同様、第１ケース２の側部に取り付ける方法であり、他の方法は、後述する後者のように、内側補強体２１を第１ケース２の側部に取り付けた状態で、外側補強体２２を内側補強体２１に装着して第１ケース２の側部に取り付ける方法である。なお、第２ケース３の側部に補強部材８を取り付ける場合にも、上記と同様、２通りの取付方法がある。
【００５１】
すなわち、前者の場合には、まず、内側補強体２１に外側補強体２２を装着して補強部材２０を構成し、この補強部材２０における外側補強体２２の第１係合部９を第１ケース２の側部における先端部の第１係止部１１に係止させる。この状態で、補強部材２０を第１ケース２の側部に向けて押すと、補強部材２０の内側補強体２１内に第１ケース２の側部が押し込まれ、この内側補強体２１の基端部に設けられた第２係合部１０が第１ケース２の側部における基端部に設けられた第２係止部１２に係合する。これにより、内側補強体２１が外側補強体２２と共に第１ケース２の側部に嵌合して、内側補強体２１と外側補強体２２とからなる補強部材２０が第１ケース２の側部に装着される。
【００５２】
また、後者の場合には、まず、第１ケース２の側部に内側補強体２１を装着する。このときには、内側補強体２１内に第１ケース２の側部を挿入させて嵌合させると、内側補強体２１の基端部の第２係合部１０が第１ケース２の側部における先端部の第２係止部１２に係合し、これにより内側補強体２１が第１ケース２の側部に取り付けられる。この状態で、外側補強体２２を第１ケース２の側部に装着された内側補強体２１に装着する。
【００５３】
このときには、外側補強体２２の先端側の内部に第１ケース２の側部における先端部を挿入させて、外側補強体２２の第１係合部９を第１ケース２の側部の第１係止部９に係合させる。この状態で、外側補強体２２を内側補強体２１に向けて押し付けると、外側補強体２２内に内側補強体２１が第１ケース２の側部と共に挿入して嵌着する。これにより、内側補強体２１と外側補強体２２とからなる補強部材２０が第１ケース２の側部に取り付けられる。
【００５４】
このように、この電子辞書によれば、実施形態１と同様の作用効果があるほか、特に補強部材２０が、第１、第２ケース２、３の側部に着脱可能に装着する金属製の内側補強体２１と、この内側補強体２１の外側に着脱可能に装着する合成樹脂製の外側補強体２２とからなる２重構造であるから、補強部材２０全体の強度を実施形態１のものよりも高めることができると共に、この２重構造の補強部材２０によって第１、第２ケース２、３の強度をも高めることができる。特に、内側補強体２１が金属製であるので、補強部材２０の強度を確実に高めることができ、また外側補強体２２が合成樹脂製であるので、装飾を容易に施すことができる。
【００５５】
この場合、第１、第２ケース２、３の側部における先端側に第１係止部１１を設け、その基端側に第２係止部１２を設け、外側補強体２２に第１係合部９を設け、内側補強体２１に第２係合部１０を設けているので、第１、第２ケース２、３の第１、第２係止部１１、１２に外側補強体２２と内側補強体２１との第１、第２係合部９、１０をそれぞれ係脱可能に係合させることにより、簡単に且つ容易に補強部材２０を第１、第２ケース２、３の各側部に取り付けることができる。
【００５６】
特に、補強部材２０が内側補強体２１と外側補強体２２との２重構造であっても、内側補強体２１と外側補強体２２とをそれぞれ第１、第２ケース２、３の側部に係止させることができ、これにより確実に補強部材２０を第１、第２ケース２、３の側部に取り付けることができる。また、外側補強体２２は、色や模様などの装飾の異なる複数の種類のうちのいずれかの種類であるので、外側補強体２２のみを交換するだけで、色や模様などの装飾を変更することができる。このため、補強部材２０の全部を交換する必要がないので、交換作業も容易にできるばかりか、低価格化をも図ることができる。
【００５７】
なお、上記実施形態２では、補強部材２０の内側補強体２１を第１、第２ケース２、３の側部に取り付ける場合、第１、第２ケース２、３の側部に内側補強体２１を嵌合させると共に、内側補強体２１の第２係合部１０を第１、第２ケース２、３の側部に設けられた第２係止部１２に係合させて取り付けるように構成したが、これに限らず、例えば図１０に示すように、内側補強体２１を第１、第２ケース２、３の側部にビス３０によって取り付けるように構成しても良い。
【００５８】
このようにすれば、内側補強体２１が第１、第２ケース２、３の側部にビス３０によって取り付けられるので、実施形態２の場合よりも、内側補強体２１を第１、第２ケース２、３に確実に且つ強固に固定することができる。このため、第１、第２ケース２、３の強度を更に向上させることができるほか、内側補強体２１を第１、第２ケース２、３に取り付けた状態で、外側補強体２２のみを簡単に且つ容易に取り外すことができるので、実施形態２の場合よりも外側補強体２２の交換が容易にできる。
【００５９】
（実施形態３）
次に、図１１および図１２を参照して、この発明の電子機器を電子辞書に適用した実施形態３について説明する。この場合にも、図１〜図６に示された実施形態１と同一部分に同一符号を付して説明する。
この電子辞書は、ケース本体１の第１、第２ケース２、３の各側部に取り付けられる補強部材８のうち、第２ケース３の両側部に取り付けられる補強部材３５を重量の重い金属材料で形成した構造で、これ以外は実施形態１と同じ構造になっている。
【００６０】
すなわち、ケース本体１は、第１、第２ケース２、３を開いた状態で机などの載置面Ｓ上に配置して使用するときに、第２ケース３を載置面Ｓ上に配置して第１ケース２を斜めに起立させるようになっている。このため、第２ケース３側の重量が軽いと、図１２に示すように、第２ケース３の先端側（同図では左端部側）が載置面Ｓ上に浮き上がることがある。これを防ぐために、第２ケース３の両側部に取り付けられる補強部材３５を重量の重い金属材料で形成して補強部材３５の重量を重くしている。なお、この場合にも、図示しないが、補強部材３５には、実施形態１と同様、第２ケース３の第１、第２係止部１１、１２に係脱可能に係合する第１、第２係合部９、１０が設けられている。
【００６１】
このような電子辞書では、第２ケース３の両側部に装着される補強部材３５が重量の重い金属材料で形成されているので、補強部材３５の重量を重くすることができ、これにより第２ケース３側の重量を第１ケース２側の重量よりも重くすることができる。このため、第１、第２ケース２、３を開いた状態で第２ケース３を机などの載置面Ｓ上に載置して使用するときに、図１２に示すように、第２ケース３の先端側が載置面Ｓ上に浮き上がることがなく、第２ケース３の両側部に取り付けられた補強部材３５の重量によってケース本体１を載置面Ｓ上に安定させて配置することができ、これにより使い勝手の良いものを得ることができる。なお、この電子辞書を携帯する場合には、第２ケース３に装着された補強部材３５を重量の軽い補強部材８と交換すれば、良好に携帯することができる。
【００６２】
なお、上記実施形態３では、第２ケース３の両側部に装着される補強部材３５を重量の重い金属材料で形成した場合について述べたが、これに限らず、例えば図１３に示す変形例のように、第２ケース３の両側部に装着される補強部材３６に電池パックなどの付加機能部３７を設けた構成でも良い。このようにすれば、電池パックなどの付加機能部３７によって電池の寿命を向上させるなど、他の機能を付加することができ、これにより付加価値を高めることができるほか、電池パックなどの付加機能部３７によって補強部材３６の重量を重くすることができるので、実施形態３と同様、机などの載置面Ｓ上に載置して使用するときに、ケース本体１を載置面Ｓ上に安定させて配置することができ、これによっても良好に使用することができる。
【００６３】
（実施形態４）
次に、図１４および図１５を参照して、この発明の電子機器を電子辞書に適用した実施形態４について説明する。この場合にも、図１〜図６に示された実施形態１と同一部分に同一符号を付して説明する。
この電子辞書は、ケース本体１の第１、第２ケース２、３の両側部とこれに隣接する先端側の側部とに連続する補強部材４０を第１、第２ケース２、３にそれぞれ取り付けた構造で、これ以外は実施形態１とほぼ同じ構造になっている。
【００６４】
すなわち、この補強部材４０は、全体がコ字状に形成されていると共に、断面もコ字状に形成され、これにより第１、第２ケース２、３のヒンジ部４側の側部を除いて、第１、第２ケース２、３の左右の両側部とこれに隣接する先端側の側部とにそれぞれ連続して装着されるように構成されている。この場合にも、第１、第２ケース２、３の左右の両側部とこれに隣接する先端側の側部とは、その厚みが全体の厚みよりも少し薄く形成されている。また、この補強部材４０には、少なくとも第２係合部１０が設けられており、この第２係合部１０は、第１、第２ケース２、３の第２係止部１２に係脱可能に係合するように構成されている。
【００６５】
このような電子辞書によれば、補強部材４０が、第１、第２ケース２、３における左右の両側部とこれに隣接する先端側の側部とにそれぞれ連続して取り付けられているので、補強部材４０が、第１、第２ケース２、３の外周部における一側部を除いて、つまり第１、第２ケース２、３の各ヒンジ部４側の側部を除いて、第１、第２ケース２、３の外周部にそれぞれ装着されることになり、この補強部材４０によって第１、第２ケース２、３をそれぞれ強固に補強することができ、このため落下などによる衝撃によって表示部５およびキーボード７が破損するのを確実に防ぐことができると共に、耐衝撃性を向上させることができる。
【００６６】
なお、上記実施形態４においても、第２ケース３に装着される補強部材４０を重量の重い金属材料で形成しても良く、また電池パックなどの付加機能部３７を設けた構成にしても良い。
また、上記実施形態３、４においても、各補強部材３５、３６、４０を内側補強体２１と外側補強体２２とからなる２重構造にしても良い。
【００６７】
さらに、上記実施形態１〜４およびその変形例では、装置本体１が第１、第２ケース２、３をヒンジ部４で連結した折り畳み式の構造になっているが、必ずしも第１、第２ケース２、３を備え、これら第１、第２ケース２、３をヒンジ部４で連結した折り畳み式の構造である必要はなく、１つの平面型のケースからなるケース本体に表示部を設けた構造であっても良い。
【００６８】
また、上記実施形態１〜４およびその変形例では、電子辞書に適用した場合について述べたが、これに限らず、携帯電話機、電子式計算機、携帯型パーソナルコンピュータ、ＰＤＡ（パーソナル・デジタル・アシスタント）などの電子機器に広く適用することができる。
【図面の簡単な説明】
【００６９】
【図１】この発明を適用した電子辞書を開いて使用する状態の斜視図である。（実施形態１）
【図２】図１の側面図である。
【図３】図２の第１、第２ケースを閉じて重ね合わせた状態の側面図である。
【図４】図１において第１ケースの両側部に補強部材を取り付ける状態を示した要部の分解斜視図である。
【図５】図４の第１ケースにおける側部に設けられた第１係止部に補強部材の第１係合部を係合させるときの要部を拡大した分解斜視図である。
【図６】図４の第１ケースにおける側部に設けられた第２係止部に補強部材の第２１係合部を係合させるときの要部を拡大した分解斜視図である。
【図７】この発明を適用した電子辞書の第１ケースおよびその両側部に装着される補強部材の要部を示した分解斜視図である。（実施形態２）
【図８】図７の電子辞書において第１ケースの一部を破断した斜視図である。
【図９】図８の要部を拡大した斜視図である。
【図１０】実施形態２の変形例を示した要部の分解斜視図である。
【図１１】この発明を適用した電子辞書の第１、第２ケースを開いて載置面上に配置した状態の側面図である。（実施形態３）
【図１２】従来の第１、第２ケースを開いて載置面上に配置した状態の側面図である。
【図１３】実施形態３の変形例を示した正面図である。
【図１４】この発明を適用した電子辞書の第１、第２ケースを開いた状態の正面図である。（実施形態３）
【図１５】図１４の第１ケースの側部に補強部材を装着する状態を示した正面図である。
【符号の説明】
【００７０】
１  装置本体
２  第１ケース
３  第２ケース
４  ヒンジ部
５  表示部
７  キーボード
８、２０、３５、３６、４０  補強部材
９  第１係合部
１０  第２係合部
１１  第１係止部
１２  第２係止部
２１  内側補強体
２２  外側補強体
２３  保護板
２６  折曲部
３０  ビス
３７  付加機能部
【図１】
2005183425.tif 000003
【図２】
2005183425.tif 000004
【図３】
2005183425.tif 000005
【図４】
2005183425.tif 000006
【図５】
2005183425.tif 000007
【図６】
2005183425.tif 000008
【図７】
2005183425.tif 000009
【図８】
2005183425.tif 000010
【図９】
2005183425.tif 000011
【図１０】
2005183425.tif 000012
【図１１】
2005183425.tif 000013
【図１２】
2005183425.tif 000014
【図１３】
2005183425.tif 000015
【図１４】
2005183425.tif 000016
【図１５】
2005183425.tif 000017